(57)【特許請求の範囲】
【請求項１】
ステータス信号の送受信により自ノードと相手ノードのネット接続を確認する接続制御装置において、
自ノードの存在をネット内に通知するための自ステータス信号を生成するステータス生成部と、
相手ノードが出力する相手ステータス信号を検知し、その検知結果を出力するステータス検知部と、
前記検知結果に基づいて相手ステータス信号が消失した場合であって、自ノードが使用される状態で且つネット内に接続される必要がない場合に前記ステータス生成部を不活性化し、自ノードがネット内に信号を出力又は入力する場合又は前記検知結果に基づいて相手ステータス信号が検知された場合に前記ステータス生成部を活性化するステータス制御部と
を備えたことを特徴とする接続制御装置。
【請求項２】
請求項１に記載の接続制御装置において、
前記ステータス制御部は、自ノードがネットに接続されているか否かを認識するときに前記ステータス生成部を活性化することを特徴とする接続制御装置。
【請求項３】
請求項１に記載の接続制御装置において、
前記ステータス制御部は、自ノードの電源が投入された時に前記ステータス生成部を活性化することを特徴とする接続制御装置。
【請求項４】
請求項１に記載の接続制御装置において、
前記ステータス制御部は、一定時間以上の間、前記相手ステータス信号が不活性化されている場合に前記ステータス生成部を活性化した後、前記相手ステータス信号が活性化しないときに前記ステータス生成部を不活性化することを特徴とする接続制御装置。
【請求項５】
請求項１に記載の接続制御装置において、
前記ステータス制御部は、自ノードと相手ノードの接続が確認されたネット接続状態において、該ネットからの干渉を無視する場合に前記ステータス生成部を不活性化することを特徴とする接続制御装置。
【請求項６】
請求項１に記載の接続制御装置において、
前記ステータス制御部は、一定周期自ノードがネット内にデータを出力せず、且つ相手ノードからデータの受信が無い場合に前記ステータス生成部を不活性化することを特徴とする接続制御装置。
【請求項７】
請求項１に記載の接続制御装置において、
前記ステータス制御部は、ネットの接続を切断したいときに、前記ステータス生成部を不活性化することを特徴とする接続制御装置。
【請求項８】
請求項１に記載の接続制御装置において、
外部から入力される基準クロック信号に基づいて前記ステータス制御部にクロック信号を供給するＰＬＬ回路を有し、
前記ステータス制御部は、前記ステータス生成部を不活性化するときに前記ＰＬＬ回路を不活性化することを特徴とする接続制御装置。
【請求項９】
請求項８に記載の接続制御装置において、
前記基準クロック信号と前記ＰＬＬ回路にて生成される前記クロック信号とが入力され、前記ステータス制御部から入力される選択信号に基づいて前記基準クロック信号とクロック信号のうちの何れか一方を選択し、その選択信号を前記ステータス制御部に出力するセレクタを備え、
前記ステータス制御部は、前記ステータス生成部を活性化する時に前記クロック信号が入力され、前記ステータス生成部を不活性化するときに前記基準クロック信号が入力されるべく選択信号を出力することを特徴とする接続制御装置。
【請求項１０】
請求項８に記載の接続制御装置において、
前記ステータス制御部は、前記ステータス生成部を不活性化する場合に、前記基準クロック信号を同時に不活性化するべく前記発振器に対する制御信号を出力することを特徴とする接続制御装置。
【請求項１１】
請求項８に記載の接続制御装置において、
前記ステータス制御部は、前記ステータス生成部を不活性化する場合に、ＰＬＬ回路の活性状態に保持することを特徴とする接続制御装置。
【請求項１２】
請求項８に記載の接続制御装置において、
前記ステータス制御部は、前記ステータス生成部を不活性化する場合に、前記クロック信号の周波数を下げるべく前記ＰＬＬ回路を制御することを特徴とする接続制御装置。
【請求項１３】
請求項８に記載の接続制御装置において、
前記ステータス制御部は、前記ステータス生成部を不活性化する場合に、前記基準クロック信号の周波数を下げるべく前記発振器を制御することを特徴とする接続制御装置。
【請求項１４】
請求項１に記載の接続制御装置において、
前記ステータス制御部は、ステータス生成部を不活性化する場合に、接続されたＣＰＵを同時に不活性化するべく制御することを特徴とする接続制御装置。
【請求項１５】
請求項１に記載の接続制御装置において、
ネットに接続される複数のポートのそれぞれに前記ステータス生成部とステータス検知部を備え、
前記ステータス制御部は、１つのポートの相手ステータス信号が活性化した場合に他のポートの自ステータス信号も活性化することを特徴とする接続制御装置。
【請求項１６】
請求項１に記載の接続制御装置において、
ネットに接続される複数のポートのそれぞれに前記ステータス生成部とステータス検知部を備え、
前記ステータス制御部は、１つのポートの相手ステータス信号が活性化しても、他のポートはその相手のステータス信号が検知されない限り不活性化していることを特徴とする接続制御装置。
【請求項１７】
請求項１に記載の接続制御装置において、
データを送信するためのドライバと、データを受信するためのレシーバを有し、前記ステータス制御部は、前記ステータス生成部を不活性化する場合に、前記ドライバ及びレシーバを不活性化することを特徴とする接続制御装置。
【請求項１８】
請求項１７に記載の接続制御装置において、
前記ステータス制御部は、前記ステータス生成部を活性化する場合に、前記ドライバ及びレシーバを活性化することを特徴とする接続制御装置。
【請求項１９】
ステータス信号の送受信により自ノードと相手ノードのネット接続を確認する接続制御方法において、
相手ノードが出力する相手ステータス信号を検知し、その検知結果に基づいて、相手ステータス信号が消失した場合であって、自ノードが使用される状態で且つネット内に接続される必要がない場合に自ノードの存在をネット内に通知するための自ステータス信号を不活性化し、自ノードがネット内に信号を出力又は入力する場合又は前記検知結果に基づいて相手ステータス信号が検知された場合に前記自ステータス信号を活性化する接続制御方法。
【発明の詳細な説明】
【０００１】
【発明の属する技術分野】
本発明はパーソナルコンピュータ等の機器をケーブルにて接続する接続制御装置及び接続制御方法に関するものである。
【０００２】
近年、パーソナルコンピュータ（以下、パソコンという）の普及にともない、そのパソコンに接続可能なディジタルビデオカメラ等の周辺機器も種類が多くなってきている。そして、それらの機器を接続してネットワークを構築する場合、その接続は全ての機器の電源がオフの状態でされなければならない。これは、構築された（電源が投入された）ネットワークに機器を接続した場合、後から接続された機器はネットワークに接続された事が認識されないからであり、認識されなければデータ転送を行うことができない。
【０００３】
そのため、ホットプラグでプラグアンドプレイを行い得る規格が提案され、その規格にて機器を接続する接続装置が提供されている。ホットプラグは活線挿抜又はホットスワップと呼ばれ、電源を入れた状態で機器の接続，取り外しを行うことを可能する機能である。プラグアンドプレイは、ネットワークの状態を常に監視し、機器がネットワークに接続又は取り外された場合に、ネットワークの再構築を行う機能である。そして、パソコン等の機器において、消費電力の低減化が求められているため、このような機能を提供する接続装置においても、消費電力の低減が要求されている。
【０００４】
【従来の技術】
ホットプラグとプラグアンドプレイを行うために重要な事は、自機がネットワークに接続されたか否かを常に認識することである。従来、ネットワークに接続される機器には、該機器をネットワークに接続するためのケーブル接続制御装置（以下、単に接続装置という）が備えられている。また、機器は、外部に接続された接続装置を介してネットワークに接続されるように構成されても良い。その接続装置は、ネットワークとの接続端子に常にその機器の存在を示すステータス信号を出力する。このステータス信号は所定のバイアス電圧である。
【０００５】
ネットワークに接続可能に構成された全ての機器は、ステータス信号を出力する機能を持つ。接続された複数の機器は、互いに相手の機器から出力されるステータス信号を検出し、それによりネットワークを再構築する。このようにして、機器は、互いに出力するステータス信号によりネットワークに接続されているか否かを認識する。そして、接続された機器は、認識した機器との間でデータ転送が可能となる。
【０００６】
【発明が解決しようとする課題】
しかしながら、上記のように構成された機器は、接続状態に係わらずステータス信号を出力している。即ち、機器は、ネットワークに接続する必要が無いときにも、ステータス信号を出力している。このため、ステータス信号を出力する回路部分が常時動作していることとなり、機器の消費電力低減が困難であるという問題を生じていた。
【０００７】
本発明は上記問題点を解決するためになされたものであって、その目的は消費電力の低減を図ることができる接続制御装置及び接続制御方法を提供することにある。
【０００８】
【課題を解決するための手段】
請求項１に記載の発明によれば、自ノードの存在をネット内に通知するための自ステータス信号を生成するステータス生成部と、相手ノードが出力する相手ステータス信号を検知し、その検知結果を出力するステータス検知部と、前記検知結果に基づいて相手ステータス信号が消失した場合であって、自ノードが使用される状態で且つネット内に接続される必要がない場合に前記ステータス生成部を不活性化し、自ノードがネット内に信号を出力又は入力する場合又は前記検知結果に基づいて相手ステータス信号が検知された場合に前記ステータス生成部を活性化するステータス制御部とを備える。このように、そのステータス制御部によって検知結果に基づいて相手ステータス信号が消失した場合にステータス生成部を不活性化することにより、電力消費が少なくなる。
【０００９】
なお、ステータス制御部は、請求項２に記載の発明のように、自ノードがネットに接続されているか否かを認識するときにはステータス生成部を活性化することによりネットワークを構築できる。
【００１０】
また、ステータス制御部は、請求項３に記載の発明のように、自ノードの電源が投入された時にステータス生成部を活性化することによりネットワークを構築できる。
【００１１】
ステータス制御部は、請求項４に記載の発明のように、一定時間以上の間、相手ステータス信号が不活性化されている場合にステータス生成部を活性化し、ネットワークの状態を監視するその後、相手ステータス信号が活性化しないときにステータス生成部を不活性化することで、消費電力を低減できる。
【００１２】
ステータス制御部は、請求項５に記載の発明のように、自ノードと相手ノードの接続が確認されたネット接続状態においてステータス生成部を不活性化することで、ネットからの干渉を無視することができる。
【００１３】
ステータス制御部は、請求項６に記載の発明のように、一定周期自ノードがネット内にデータを出力せず、且つ相手ノードからデータの受信が無い場合にステータス生成部を不活性化することで消費電力を低減する。
【００１４】
ステータス制御部は、請求項７に記載の発明のように、ネットの接続を切断したいときに、ステータス生成部を不活性化することができる。
請求項８に記載の発明のように、外部から入力される基準クロック信号に基づいてステータス制御部にクロック信号を供給するＰＬＬ回路を有し、ステータス制御部は、ステータス生成部を不活性化するときにＰＬＬ回路を不活性化することで、消費電力を低減する。
【００１５】
請求項９に記載の発明のように、基準クロック信号とＰＬＬ回路にて生成されるクロック信号とが入力され、ステータス制御部から入力される選択信号に基づいて基準クロック信号とクロック信号のうちの何れか一方を選択し、その選択信号をステータス制御部に出力するセレクタを備え、ステータス制御部は、ステータス生成部を活性化する時にクロック信号が入力され、ステータス生成部を不活性化するときに基準クロック信号が入力されるべく選択信号を出力する。これにより、低周波数の基準クロック信号により動作するステータス制御部は、電力消費が少ない。
【００１６】
ステータス制御部は、請求項１０に記載の発明のように、ステータス生成部を不活性化する場合に、基準クロック信号を同時に不活性化するべく発振器に対する制御信号を出力する。
【００１７】
ステータス制御部は、請求項１１に記載の発明のように、ステータス生成部を不活性化する場合にも、ＰＬＬ回路を活性状態に保持している。
ステータス制御部は、請求項１２に記載の発明のように、ステータス生成部を不活性化する場合に、クロック信号の周波数を下げるべくＰＬＬ回路を制御し、これにより消費電力が低減される。
【００１８】
ステータス制御部は、請求項１３に記載の発明のように、ステータス生成部を不活性化する場合に、基準クロック信号の周波数を下げるべく発振器を制御し、これにより消費電力が低減される。
【００１９】
ステータス制御部は、請求項１４に記載の発明のように、ステータス生成部を不活性化する場合に、接続されたＣＰＵを同時に不活性化するべく制御する。
ステータス制御部は、請求項１５に記載の発明のように、ネットに接続される複数のポートのそれぞれに備えられるステータス生成部とステータス検知部を、１つのポートの相手ステータス信号を活性化した場合に他のポートの自ステータス信号を活性化し、ネットワークを構築する。
【００２０】
ステータス制御部は、請求項１６に記載の発明のように、ネットに接続される複数のポートのそれぞれに備えられたステータス生成部とステータス検知部に対して、１つのポートの相手ステータス信号が活性化しても、他のポートはその相手のステータス信号が検知されない限り不活性化することで、これにより消費電力を低減する。
【００２１】
ステータス制御部は、請求項１７に記載の発明のように、データを送信するためのドライバと、データを受信するためのレシーバを、ステータス生成部を不活性化する場合に不活性化し、これにより消費電力を低減する。
【００２２】
ステータス制御部は、請求項１８に記載の発明のように、ステータス生成部を活性化する場合に、ドライバ及びレシーバを活性化し、データ転送を可能とする。
【００２３】
請求項１９に記載の発明によれば、相手ノードが出力する相手ステータス信号の検知結果に基づいて、相手ステータス信号が消失した場合であって、自ノードが使用される状態で且つネット内に接続される必要がない場合に自ノードの存在をネット内に通知するための自ステータス信号を不活性化することで、その自ステータス信号を生成するための回路部分の消費電力が少なくなる。
【００２４】
【発明の実施の形態】
（第一実施形態）
以下、本発明を具体化した第一実施形態を図１〜図５に従って説明する。
【００２５】
図１は、シリアルインタフェースの一つであるIEEE1394規格に準拠したシステム構成を示す。図１において、機器としてのパーソナルコンピュータ（以下、パソコンという）１１は、外部周辺機器としてのデジタルビデオカメラ（以下、単にカメラという）１２とケーブル１３を介して接続されている。このように接続されたパソコン１１とカメラ１２は、IEEE1394規格にてデータの送受信を行うネットワークを構成する。尚、IEEE1394規格以外により接続する構成としてもよい。
【００２６】
パソコン１１とカメラ１２は、IEEE1394プロトコルに準拠したデータ転送を可能にするためのケーブル接続制御装置（以下、接続装置という）１４，１５をそれぞれ含む。接続装置１４，１５は、接続端子としてのコネクタ１６，１７をそれぞれ含み、両コネクタ１６，１７にケーブル１３のコネクタが接続される。尚、パソコン１１，カメラ１２と接続装置１４，１５との間を、それぞれケーブルにて接続する構成としてもよい。
【００２７】
両接続装置１４，１５は、ホットプラグにてプラグアンドプレイを行い得る機能を持つ。即ち、接続装置１４，１５は、それら装置１４，１５を介して機器１１，１２がネットワークに接続されているか否かを認識する機能を持つ。この機能は、機器間におけるステータス信号の授受により提供される。即ち、両接続装置１４，１５は、接続相手に出力するステータス信号（以下、自ステータス信号という）の生成する機能と、接続相手の機器から出力されるステータス信号（相手ステータス信号）の検知する機能を持つ。
【００２８】
更に、両接続装置１４，１５は、予め設定された条件に基づいて、自ステータス信号の生成機能を、活性化／不活性化に制御する機能を持つ。図２は、接続装置１４，１５が自ステータス信号を制御する条件を示す。
【００２９】
詳述すれば、接続装置１４，１５を備えたパソコン１１，カメラ１２をそれぞれノードと呼ぶ。今、パソコン１１からネットワークの状態を確認する場合、そのパソコン１１を自ノードと呼び、カメラ１２を相手ノードと呼ぶ。
【００３０】
自ノードは、条件１−１．（活性化された相手ステータス信号が相手ノードから出力され、それを検知した時）、条件１−２．（自ノードがネット内で、データの送受信を行う時）の何れかに該当する場合に、自ステータス信号を活性化する。そして、自ノードは、条件２−１．（相手ステータス信号の不活性化を検知した時）に該当する場合に、自ステータス信号を不活性化する。
【００３１】
このような機能を持つ接続装置１４，１５は、パソコン１１，カメラ１２が接続されない状態、即ちそれぞれ単独で使用される場合に、自ステータス信号を活性化しない。このことは、その自ステータス信号を生成し出力する回路部分における電力消費を削減し、これにより装置１４，１５、ひいてはパソコン１１，カメラ１２の消費電力を低減する。
【００３２】
次に、接続装置１４，１５の構成を説明する。
図３は、接続装置１４のブロック回路図を示す。尚、図１のカメラ１２に備えられた接続装置１５は、パソコン１１に備えられた接続装置１４と構成，動作が同じであるため、詳細な図面及び動作説明を省略する。
【００３３】
図３の接続装置１４は、ＰＬＬ回路２１、ステータス制御部２２、自ステータス生成部２３、相手ステータス検知部２４、データ転送回路部２５、ネットインタフェース２６、ホストインタフェース２７を含む。ＰＬＬ回路２１には、ホスト装置としてのパソコン１１に備えられた発振器１１ａにて生成される基準クロック信号ＳＣＫが入力される。ＰＬＬ回路２１は、基準クロック信号ＳＣＫに基づいて、その基準クロック信号ＳＣＫの周波数よりも高い所定周波数を持つクロック信号ＣＬＫを生成する。そして、ＰＬＬ回路２１は、生成したクロック信号ＣＬＫを、ステータス制御部２２とデータ転送回路部２５に出力する。ステータス制御部２２とデータ転送回路部２５は、入力されるクロック信号ＣＬＫに基づく周期にて動作する。
【００３４】
ステータス制御部２２には、自ステータス生成部２３と相手ステータス検知部２４が接続されている。相手ステータス検知部２４は、ネットインタフェース２６を介して接続相手（図１のカメラ１２の接続装置１５）に接続される。相手ステータス検知部２４は、接続装置１５から出力される自ステータス信号が、ネットワーク（図１のケーブル１３）を介して相手ステータス信号ＳＴ２として入力される。
【００３５】
相手ステータス検知部２４は、相手ステータス信号ＳＴ２が活性状態にあるとき、その活性化したステータス信号ＳＴ２に応答して検知信号Ｓ２を活性化し、その検知信号Ｓ２をステータス制御部２２に出力する。ステータス制御部２２は、活性化した検知信号Ｓ２に応答して自ステータス生成部２３に出力する制御信号Ｓ１を活性化する。
【００３６】
自ステータス生成部２３は、活性化した制御信号Ｓ１に応答して活性化し、活性化した自ステータス信号ＳＴ１を出力する。接続相手である接続装置１５に出力する。このようにして、ステータス制御部２２は、活性化した相手ステータス信号ＳＴ２を検知した検知信号Ｓ２に基づいて、自ステータス信号ＳＴ１を活性化する。
【００３７】
相手ステータス検知部２４は、不活性化した相手ステータス信号を検知すると、検知信号Ｓ２を不活性にする。ステータス制御部２２は、不活性の検知信号Ｓ２に応答して自ステータス生成部２３に対する制御信号Ｓ１を不活性化する。
【００３８】
自ステータス生成部２３は、不活性化した制御信号Ｓ１に応答して不活性となる。これにより自ステータス信号ＳＴ１は不活性となる。このようにして、ステータス制御部２２は、不活性の相手ステータス信号ＳＴ２を検知した検知信号Ｓ２に基づいて、自ステータス信号ＳＴ１を不活性化する。
【００３９】
更に、前記ステータス制御部２２は、活性化した検知信号Ｓ２に基づいて、活性化した信号Ｓ３を生成し、その信号Ｓ３をデータ転送回路部２５に出力する。この信号Ｓ３は、ＣＰＵ１１ｂがネットの状態を検出するために用いられる。これは、相手ステータス信号ＳＴ２が検知された時には、機器が接続相手として接続され活性化した状態である。これにより、ホスト装置であるパソコン１１と接続相手の機器とからネットワークが構築され、データの転送が可能となる。尚、ステータス制御部２２は、検知信号Ｓ２を信号Ｓ３として出力しても良い。
【００４０】
ステータス制御部２２には、データ転送回路部２５が接続される。データ転送回路部２５は、ドライバ２５ｂとレシーバ２５ｃからなるバッファ回路２５ａを含む。データ転送回路部２５はホストインタフェース２７に接続され、そのホストインタフェース２７はホスト装置としてのパソコン１１に備えられたＣＰＵ１１ｂに接続される。また、データ転送回路部２５はネットインタフェース２６に接続され、そのネットインタフェース２６は接続相手の装置としてのカメラ１２に接続される。
【００４１】
データ転送回路部２５は、ＣＰＵ１１ｂからホストインタフェース２７を介して入力されるデータを、ネットワークにて扱うIEEE1394規格のデータにフォーマットし、そのデータをドライバ２５ｂを介して出力する。この出力データは、ネットインタフェース２６を介して相手装置に出力される。
【００４２】
一方、データ転送回路部２５は、ネットワークからネットインタフェース２６、レシーバ２５ｃを介して入力されるデータを、ＣＰＵ１１ｂが扱うデータにフォーマットし、そのデータを出力する。この出力データは、ホストインタフェース２７を介してＣＰＵ１１ｂに出力される。
【００４３】
データ転送回路部２５には、ＣＰＵ１１ｂから転送するデータが入力されるときに、そのデータ転送に先だってデータ転送の開始を示す信号Ｓ４が入力される。データ転送回路部２５は、この信号Ｓ４をステータス制御部２２に出力する。
【００４４】
ステータス制御部２２は、信号Ｓ４に基づいて自ステータス生成部２３を活性化させ、活性化した自ステータス生成部２３は、活性化した自ステータス信号ＳＴ１を出力する。このようにして、ステータス制御部２２は、ホスト装置であるパソコン１１からデータを転送する時に、自ステータス信号ＳＴ１を活性化する。
【００４５】
ところで、ＣＰＵ１１ｂがデータを受信しようとする時、ＣＰＵ１１ｂは、先ず相手装置であるカメラ１２に対して受信コマンドを送信する。カメラ１２は、受信コマンドに応答してデータを送信する。そして、データ転送回路部２５は、この受信コマンドに基づいて信号Ｓ４をステータス制御部２２に出力する。ステータス制御部２２は、信号Ｓ４に応答して自ステータス制御部２２を活性化させる。このようにして、ステータス制御部２２は、ホスト装置であるパソコン１１がデータを受信するときに、自ステータス信号ＳＴ１を活性化する。
【００４６】
次に、上記の接続装置１４を備えたパソコン１１と、接続装置１５を備えたカメラ１２とを接離する場合の動作を説明する。
図４（ａ）〜（ｄ）は、接続装置の動作説明図を示す。尚、図４には、ネットワークの接続に係わる接続装置１４，１５を示し、パソコン１１，カメラ１２を省略してある。また、図４において、活性化した信号を実線で示し、不活性状態の信号を波線で示してある。更に、図面には、自ステータス信号を「自」、相手ステータス信号を「相」と示す。
【００４７】
今、図４（ａ）に示す接続装置１４，１５は、電源が投入され、非接続状態にある。この時、両装置１４，１５は、それぞれ相手装置の相手ステータス信号が入力されない、即ち相手ステータス信号が不活性であることを検知する。そして、その検知結果に基づいて、両装置１４，１５は、自ステータス信号を不活性の状態に保持する。
【００４８】
次に、図４（ｂ）に示すように、接続装置１４，１５を接続する。この時、両装置１４，１５は、互いの相手ステータス信号が不活性であるため、これを検知しない。そのため、両装置１４，１５は、自ステータス信号を不活性の状態に保持する。
【００４９】
今、接続装置１４から接続装置１５へデータを転送する。（実際には、図１のパソコン１１から接続装置１４，１５を介してカメラ１２へデータが転送される。）
この時、図４（ｃ）に示すように、接続装置１４は、自ステータス信号を活性化する。この自ステータス信号を相手ステータス信号として受け取る接続装置１５は、相手ステータス信号が活性化しているため、自ステータス信号を活性化する。この活性化した自ステータス信号は、接続装置１４に相手ステータス信号として入力される。
【００５０】
このようにして、接続装置１４，１５は、互いに活性化した相手手ステータス信号を検知する。これにより、両接続装置１４，１５間の接続が完了し、データが接続装置１４から接続装置１５へ転送される。尚、接続装置１５から接続装置１４へデータを転送しようとする場合も同様にして両装置１４，１５間の接続が完了する。
【００５１】
次に、図４（ｄ）に示すように、接続装置１４，１５の接続が切断されると、それぞれ相手ステータス信号が入力されなくなる（相手ステータス信号が不活性になる）ため、両装置１４，１５は自ステータス信号を不活性にする。
【００５２】
このようにして、接続装置１４，１５は、電源を投入した状態でケーブル１３を接続した後にデータ転送を開始する時に、自ステータス信号を活性化させて接続を完了する。これにより、接続装置１４，１５は、ホットプラグでプラグアンドプレイを行う機能を実現する。そして、接続装置１４，１５は、非接続時及びケーブル１３を接続した後にデータ転送が開始されるまでの間における電力消費を少なくする。
【００５３】
図５（ａ）〜（ｄ）は、本実施形態の接続装置１４と、従来の接続装置２８を接続／切り離すときの動作説明図を示す。尚、図５において、図４と同様に、活性化した信号を実線で示し、不活性状態の信号を波線で示してある。更に、図面には、自ステータス信号を「自」、相手ステータス信号を「相」と示す。
【００５４】
今、図５（ａ）に示す接続装置１４と従来の接続装置（以下、従来装置という）２８は、電源が投入され、非接続状態にある。この時、従来装置２８は、常に活性化した自ステータス信号を出力する。一方、接続装置１４は、相手装置の相手ステータス信号が入力されない、即ち相手ステータス信号が不活性であることを検知する。そして、接続装置１４は、その検知結果に基づいて、自ステータス信号を不活性の状態に保持する。
【００５５】
次に、図５（ｂ）に示すように、接続装置１４と従来装置２８を接続する。すると、接続装置１４には、従来装置２８から出力される自ステータス信号が、相手ステータス信号として入力される。接続装置１４は、この活性化した相手ステータス信号を検知し、自ステータス信号を活性化する。従来装置２８は、接続装置１４から出力される自ステータス信号を相手ステータス信号として受け取る。
【００５６】
このようにして、接続装置１４，従来装置２８は、互いに活性化した相手ステータス信号を検知することにより、相手の装置を認識する。これにより、両装置１４，２８間の接続が完了し、ネットワークが構築されてデータ転送が可能となる。
【００５７】
次に、図５（ｃ）に示すデータ転送時において、接続装置１４と従来装置２８は互いに相手の装置を認識しているため、相互にデータを転送することができる。
【００５８】
次に、図５（ｄ）に示すように、接続装置１４と従来装置２８の接続が切断されると、接続装置１４は、従来装置２８から相手ステータス信号が入力されなくなる（相手ステータス信号が不活性になる）ため、自ステータス信号を不活性にする。
【００５９】
このように、接続装置１４と従来装置２８を接離する場合においても、本実施形態の接続装置１４，１５を接離する場合と同様に、ホットプラグでプラグアンドプレイを行う機能を実現する。そして、接続装置１４は、非接続時における電力消費を少なくする。
【００６０】
以上記述したように、本実施の形態によれば、以下の効果を奏する。
（１）ステータス制御部２２は、相手ステータス検知部２４の検知結果に基づいて相手ステータス信号ＳＴ２が不活性の場合に自ステータス生成部２３を不活性化するようにした。その結果、自ステータス生成部２３の分だけ消費電力が少なくなる。
【００６１】
（２）ステータス制御部２２は、相手ステータス検知部２４の検知結果に基づいて活性化した相手ステータス信号ＳＴ２を検知した場合に自ステータス生成部２３を活性化するようにした。その結果、電源がオンされたホットプラグの状態においてネットワークに接続された相手装置を認識してネットワークを構築するプラグアンドプレイを行うことができる。
【００６２】
（第二実施形態）
以下、本発明を具体化した第二実施形態を図６〜図１０に従って説明する。
尚、説明の便宜上、第一実施形態と同様の構成については同一の符号を付してその説明を一部省略する。
【００６３】
図６は、シリアルインタフェースの一つであるIEEE1394規格に準拠したシステム構成を示す。図６において、機器としてのパーソナルコンピュータ（以下、パソコンという）１１、外部周辺機器としてのデジタルＶＴＲ（以下、ＶＴＲという）３１、及び、外部周辺機器としてのカラープリンタ（以下、プリンタという）３２は、ケーブル１３を介して接続されている。このように接続されたパソコン１１，ＶＴＲ３１，プリンタ３２は、IEEE1394規格にてデータの送受信を行うネットワークを構成する。尚、IEEE1394規格以外により接続する構成としてもよい。
【００６４】
パソコン１１，ＶＴＲ３１，プリンタ３２は、IEEE1394プロトコルに準拠したデータ転送を可能にするためのケーブル接続制御装置（以下、接続装置という）３３，３４，３５をそれぞれ備えている。尚、パソコン１１，ＶＴＲ３１，プリンタ３２と接続装置３３，３４，３５との間を、それぞれケーブルにて接続する構成としてもよい。
【００６５】
各接続装置３３，３４，３５は、それぞれ２つの入出力ポートを持ち、各入出力ポートに対応して接続端子としてのコネクタ３３ａ，３３ｂ，３４ａ，３４ｂ，３５ａ，３５ｂが設けられている。各コネクタ３３ａ，３３ｂ，・・・にはケーブル１３のコネクタが接続される。図６において、パソコン１１，ＶＴＲ３１，プリンタ３２は、コネクタ３３ｂとコネクタ３４ａ間、コネクタ３４ｂとコネクタ３５ａ間が、それぞれケーブル１３にて接続されている。このように接続されたパソコン１１，ＶＴＲ３１，プリンタ３２はネットワークを構成し、各機器（パソコン１１，ＶＴＲ３１，プリンタ３２）間のデータ転送を可能とする。
【００６６】
各接続装置３３〜３５は、ホットプラグにてプラグアンドプレイを行い得る機能を持つ。即ち、接続装置３３〜３５は、それら装置３３〜３５を介してパソコン１１，ＶＴＲ３１，プリンタ３２がネットワークに接続されているか否かを認識する機能を持つ。この機能は、機器間におけるステータス信号の授受により提供される。即ち、両接続装置３３〜３５は、接続相手に出力するステータス信号（以下、自ステータス信号という）の生成する機能と、接続相手の機器から出力されるステータス信号（相手ステータス信号）の検知する機能を持つ。
【００６７】
更に、各接続装置３３〜３５は、予め設定された条件に基づいて、自ステータス信号の生成機能を、活性化／不活性化に制御する機能を持つ。図７は、接続装置３３〜３５が自ステータス信号を制御する条件を示す。
【００６８】
詳述すれば、接続装置３３〜３５を備えたパソコン１１，ＶＴＲ３１，プリンタ３２をそれぞれノードと呼ぶ。今、パソコン１１からネットワークの状態を確認する場合、そのパソコン１１を自ノードと呼び、ＶＴＲ３１，プリンタ３２を相手ノードと呼ぶ。
【００６９】
自ノードは、条件１−１．（活性化された相手ステータス信号が相手ノードから出力され、それを検知した時）、条件１−２．（自ノードがネット内で、データの送受信を行う時）、条件１−３．（ネットからの干渉を無視するために自ステータスを不活性化した場合で、干渉を無視したい状態が終了した時）のうちの何れかに該当する場合に、自ステータス信号を活性化する。そして、自ノードは、条件２−１．（相手ステータス信号の不活性化を検知した時）、条件２−２．（ネットからの干渉を無視した時）のうちの何れかに該当する場合に、自ステータス信号を不活性化する。
【００７０】
このような機能を持つ接続装置３３〜３５は、パソコン１１，ＶＴＲ３１，プリンタ３２が接続されない状態、即ちそれぞれ単独で使用される場合に、自ステータス信号を活性化しない。このことは、その自ステータス信号を生成し出力する回路部分における電力消費を削減し、これにより装置３３〜３５、ひいてはパソコン１１，ＶＴＲ３１，プリンタ３２の消費電力を低減する。
【００７１】
次に、接続装置３３〜３５の構成を説明する。
図８は、接続装置３３のブロック回路図を示す。尚、図６のＶＴＲ３１，プリンタ３２に備えられた接続装置３４，３５は、パソコン１１に備えられた接続装置３３と構成，動作が同じであるため、詳細な図面及び動作説明を省略する。
【００７２】
図８の接続装置３３は、図６の２つのコネクタ３３ａ，３３ｂに対応して構成されている。即ち、接続装置３３は、コネクタ３３ａ，３３ｂに対応するステータス制御部４１、自ステータス生成部４２ａ，４２ｂ、相手ステータス検知部４３ａ，４３ｂ、データ転送回路部４４、ネットインタフェース４５ａ，４５ｂを含む。更に接続装置３３は、第一実施形態の接続装置１４と同様にＰＬＬ回路２１とホストインタフェース２７を含む。
【００７３】
ステータス制御部４１は、自ステータス生成部４２ａ，４２ｂの活性化／不活性化を制御する機能を持つ。データ転送回路部４４は、ＣＰＵ１１ｂとネットインタフェース４５ａ，４５ｂにそれぞれ接続される機器との間のデータ転送におけるフォーマット変換を行う機能を持つ。
【００７４】
次に、各構成部材について詳述する。
ＰＬＬ回路２１は、ホスト装置としてのパソコン１１に備えられた発振器１１ａから入力される基準クロック信号ＳＣＫに基づいて、その基準クロック信号ＳＣＫの周波数よりも高い所定周波数を持つクロック信号ＣＬＫを生成する。そして、ＰＬＬ回路２１は、生成したクロック信号ＣＬＫを、ステータス制御部４１とデータ転送回路部４４に出力する。
【００７５】
ステータス制御部４１には、自ステータス生成部４２ａ，４２ｂと相手ステータス検知部４３ａ，４３ｂが接続されている。相手ステータス検知部４３ａ，４３ｂは、ネットインタフェース４５ａ，４５ｂを介して接続相手に接続される。相手ステータス検知部４３ａ，４３ｂは、接続装置３４から出力される自ステータス信号が、ネットワークを介して相手ステータス信号ＳＴ２ａ，ＳＴ２ｂとして入力される。
【００７６】
相手ステータス検知部４３ａ，４３ｂは、相手ステータス信号ＳＴ２ａ，ＳＴ２ｂが活性状態にあるとき、その活性化したステータス信号ＳＴ２ａ，ＳＴ２ｂに応答して検知信号Ｓ２ａ，Ｓ２ｂを活性化し、その検知信号Ｓ２ａ，Ｓ２ｂをステータス制御部４１に出力する。ステータス制御部４１は、活性化した検知信号Ｓ２ａ，Ｓ２ｂに応答して自ステータス生成部４２ａ，４２ｂに出力する制御信号Ｓ１ａ，Ｓ１ｂを活性化する。
【００７７】
自ステータス生成部４２ａ，４２ｂは、活性化した制御信号Ｓ１ａ，Ｓ１ｂに応答して活性化し、活性化した自ステータス信号ＳＴ１ａ，ＳＴ１ｂを出力する。接続相手に出力する。このようにして、ステータス制御部４１は、活性化した相手ステータス信号ＳＴ２ａ，ＳＴ２ｂを検知した検知信号Ｓ２ａ，Ｓ２ｂに基づいて、自ステータス信号ＳＴ１ａ，ＳＴ１ｂを活性化する。
【００７８】
相手ステータス検知部４３ａ，４３ｂは、不活性化した相手ステータス信号ＳＴ２ａ，ＳＴ２ｂを検知すると、検知信号Ｓ２ａ，Ｓ２ｂを不活性にする。ステータス制御部４１は、不活性の検知信号Ｓ２ａ，Ｓ２ｂに応答して自ステータス生成部４２ａ，４２ｂに対する制御信号Ｓ１ａ，Ｓ１ｂを不活性化する。
【００７９】
自ステータス生成部４２ａ，４２ｂは、不活性化した制御信号Ｓ１ａ，Ｓ１ｂに応答して不活性となる。これにより自ステータス信号ＳＴ１ａ，ＳＴ１ｂは不活性となる。このようにして、ステータス制御部４１は、不活性の相手ステータス信号ＳＴ２ａ，ＳＴ２ｂを検知した検知信号Ｓ２ａ，Ｓ２ｂに基づいて、自ステータス信号ＳＴ１ａ，ＳＴ１ｂを不活性化する。
【００８０】
更に、前記ステータス制御部４１は、活性化した検知信号Ｓ２ａ，Ｓ２ｂに基づいて、信号Ｓ３を活性化させ、その信号Ｓ３をデータ転送回路部４４に出力する。この信号Ｓ３は、ＣＰＵ１１ｂがネットの状態を検出するために用いられる。これは、相手ステータス信号ＳＴ２ａ，ＳＴ２ｂが検知された時には、機器が接続相手として接続され活性化した状態である。これにより、ホスト装置であるパソコン１１と接続相手の機器とからネットワークが構築され、データの転送が可能となる。尚、ステータス制御部４１は、検知信号Ｓ２ａ，Ｓ２ｂを信号Ｓ３として出力しても良い。
【００８１】
ステータス制御部４１には、データ転送回路部４４が接続される。データ転送回路部４４は、ネットインタフェース４５ａ，４５ｂに対応するバッファ回路４４ａ，４４ｂ、レジスタ４６を含む。各バッファ回路４４ａ，４４ｂは、ドライバ４７とレシーバ４８からなる。
【００８２】
データ転送回路部４４はホストインタフェース２７に接続され、そのホストインタフェース２７はホスト装置としてのパソコン１１に備えられたＣＰＵ１１ｂに接続される。また、データ転送回路部４４はネットインタフェース４５ａ，４５ｂに接続され、そのネットインタフェース４５ａ，４５ｂは相手装置（図６のＶＴＲ３１，プリンタ３２）に接続される。
【００８３】
データ転送回路部４４は、ＣＰＵ１１ｂからホストインタフェース２７を介して入力されるデータを、ネットワークにて扱うIEEE1394規格のデータにフォーマットし、そのデータをドライバ４７を介して出力する。この出力データは、ネットインタフェース４５ａ，４５ｂを介して相手装置に出力される。
【００８４】
一方、データ転送回路部４４は、ネットワークからネットインタフェース４５ａ，４５ｂ、レシーバ４８を介して入力されるデータを、ＣＰＵ１１ｂが扱うデータにフォーマットし、そのデータを出力する。この出力データは、ホストインタフェース２７を介してＣＰＵ１１ｂに出力される。
【００８５】
データ転送回路部４４には、ＣＰＵ１１ｂから転送するデータが入力されるときに、そのデータ転送に先だってデータ転送の開始を示す信号Ｓ４が入力される。データ転送回路部４４は、この信号Ｓ４をステータス制御部４１に出力する。
【００８６】
ステータス制御部４１は、信号Ｓ４に基づいて自ステータス生成部４２ａ，４２ｂを活性化させ、活性化した自ステータス生成部４２ａ，４２ｂは、活性化した自ステータス信号ＳＴ１ａ，ＳＴ１ｂを出力する。このようにして、ステータス制御部４１は、ホスト装置であるパソコン１１からデータを転送する時に、自ステータス信号ＳＴ１ａ，ＳＴ１ｂを活性化する。
【００８７】
ところで、ＣＰＵ１１ｂがデータを受信しようとする時、ＣＰＵ１１ｂは、先ず相手装置に対して受信コマンドを送信する。相手装置は、受信コマンドに応答してデータを送信する。そして、データ転送回路部４４は、この受信コマンドに基づいて信号Ｓ４をステータス制御部４１に出力する。ステータス制御部４１は、信号Ｓ４に応答して自ステータス制御部４１を活性化させる。このようにして、ステータス制御部４１は、ホスト装置であるパソコン１１がデータを受信するときに、自ステータス信号ＳＴ１ａ，ＳＴ１ｂを活性化する。
【００８８】
データ転送回路部４４のレジスタ４６には、ＣＰＵ１１ｂからステータスデータが入力される。ステータスデータは、この接続装置３３の動作モードを設定するためのデータであり、ＣＰＵ１１ｂは、データを書き込むためのコマンドと、ステータスデータをデータ転送回路部４４に出力する。データ転送回路部４４は入力されるコマンドに応答してステータスデータをレジスタ４６に格納する。
【００８９】
上記のような設定動作は、接続機器の間、即ち図６のパソコン１１とＶＴＲ３１，プリンタ３２の間で送受信される通常のデータの転送が行われていないときにレジスタ４６に格納される必要がある。即ち、データの転送等のようなネットの干渉を無視する必要がある。そのため、データ転送回路部４４は、このようなときに、ＣＰＵ１１ｂから入力されるコマンドに基づく信号Ｓ４をステータス制御部４１に出力する。ステータス制御部４１は、この信号Ｓ４に応答して、自ステータス信号ＳＴ１ａ，ＳＴ１ｂを不活性化する。
【００９０】
自ステータス信号ＳＴ１ａ，ＳＴ１ｂは、相手装置に相手ステータス信号として入力される。これにより、相手装置は、相手ステータス信号が不活性であることから、不活性の自ステータス信号を出力した装置（この場合は接続装置３３）がネットワークから切り離されたと判断し、当該装置に対してデータ転送を行わない。このようにして、ステータス制御部４１は、ネットワークからの干渉を無視するときに、自ステータス信号ＳＴ１ａ，ＳＴ１ｂを不活性にする。尚、ステータスデータの格納以外に、ネットワークの干渉を無視する構成としても良い。
【００９１】
次に、上記の接続装置３３〜３５を接離する場合の動作を説明する。
図９（ａ）〜（ｅ）は、接続装置３３〜３５の動作説明図を示す。尚、図９において、各接続装置３３〜３５を備えたパソコン１１，ＶＴＲ３１，プリンタ３２を省略してある。図９において、活性化した信号を実線で示し、不活性状態の信号を波線で示してある。更に、図面には、自ステータス信号を「自」、相手ステータス信号を「相」として示す。
【００９２】
今、図９（ａ）に示す接続装置３３〜３５は、電源が投入され、非接続状態にある。この時、各装置３３〜３５は、それぞれ相手装置の相手ステータス信号が入力されない、即ち相手ステータス信号が不活性であることを検知する。そして、その検知結果に基づいて、各装置３３〜３５は、自ステータス信号を不活性の状態に保持する。
【００９３】
次に、図９（ｂ）に示すように、接続装置３３〜３５を接続する。この時、各装置３３〜３５は、互いの相手ステータス信号が不活性であるため、これを検知しない。そのため、各装置３３〜３５は、自ステータス信号を不活性の状態に保持する。
【００９４】
今、接続装置３３から接続装置３４，３５へデータを転送する。（実際には、図１のパソコン１１から接続装置３３，３４を介してＶＴＲ３１へ、又はパソコン１１から接続装置３３〜３５を介してプリンタ３２へデータが転送される。）この時、図９（ｃ）に示すように、接続装置３３は、自ステータス信号を活性化する。この自ステータス信号を相手ステータス信号として受け取る接続装置３４は、相手ステータス信号が活性化しているため、自ステータス信号を活性化し、その自ステータス信号を接続装置３３，３５へ出力する。接続装置３３は、活性化した自ステータス信号を相手ステータス信号として受け取る。
【００９５】
接続装置３４が出力する自ステータス信号を相手ステータス信号として受け取る接続装置３５は、相手ステータス信号が活性化しているため、自ステータス信号を活性化し、その自ステータス信号を接続装置３４へ出力する。接続装置３４は、活性化した自ステータス信号を相手ステータス信号として受け取る。
【００９６】
このようにして、接続装置３３〜３５は、互いに活性化した相手手ステータス信号を検知する。これにより、接続装置３３〜３５間の接続が完了し、データが接続装置３３から接続装置３４，３５へ転送される。尚、接続装置３４，３５から接続装置３３へデータを転送しようとする場合も同様にして各装置３３〜３５間の接続が完了する。
【００９７】
次に、図９（ｄ）に示すデータの転送がない状態において、接続装置３３は、ネットからの干渉を避けるために、自ステータス信号を不活性化する。これにより、接続装置３３は、消費電力を少なくする。
【００９８】
この時、接続装置３４は、接続装置３３から入力される相手ステータス信号の不活性状態を検知する。しかし、接続装置３４は、接続装置３５から活性化した相手ステータス信号が入力される。これにより、接続装置３４は、自ステータス信号を活性状態に保持する。
【００９９】
即ち、接続装置３３，３４間が切り離され、接続装置３４，３５間は接続状態が保持される。このようにして、プラグアンドプレイ機能により、接続装置３４，３５からなるネットワークが再構築される。
【０１００】
次に、接続装置３３は、ネットからの干渉を無視する状態から抜けると、自ステータス信号を活性化する（図９（ｅ））。この自ステータス信号を相手ステータス信号として受け取る接続装置３４は、相手ステータス信号が活性化しているため、ネットに接続された接続装置３３を認識する。これにより、接続装置３３〜３５間が再び接続された状態となる。このようにして、プラグアンドプレイ機能により、接続装置３３〜３５からなるネットワークが再構築される。
【０１０１】
このようにして、接続装置３３〜３５は、電源を投入した状態でケーブル１３を接続した後にデータ転送を開始する時に、自ステータス信号を活性化させて接続を完了する。これにより、接続装置３３〜３５は、ホットプラグでプラグアンドプレイを行う機能を実現する。そして、接続装置３３〜３５は、非接続時及びケーブル１３を接続した後にデータ転送が開始されるまでの間における電力消費を少なくする。
【０１０２】
図１０（ａ）〜（ｅ）は、本実施形態の接続装置３３，３４と、従来の接続装置４９を接続／切り離すときの動作説明図を示す。尚、図１０において、図９と同様に、活性化した信号を実線で示し、不活性状態の信号を波線で示してある。更に、図面には、自ステータス信号を「自」、相手ステータス信号を「相」と示す。
【０１０３】
今、図１０（ａ）に示す接続装置３３，３４と従来の接続装置（以下、従来装置という）４９は、電源が投入され、非接続状態にある。この時、従来装置４９は、常に活性化した自ステータス信号を出力する。一方、接続装置３３，３４は、相手装置の相手ステータス信号が入力されない、即ち相手ステータス信号が不活性であることを検知する。そして、接続装置３３，３４は、その検知結果に基づいて、自ステータス信号を不活性の状態に保持する。
【０１０４】
次に、図１０（ｂ）に示すように、接続装置３３，３４と従来装置４９を接続する。すると、接続装置３４には、従来装置４９から出力される自ステータス信号が、相手ステータス信号として入力される。接続装置３４は、この活性化した相手ステータス信号を検知し、自ステータス信号を活性化する。従来装置４９は、接続装置３４から出力される自ステータス信号を相手ステータス信号として受け取る。
【０１０５】
更に、接続装置３３は、接続装置３４から出力される活性化した自ステータス信号を相手ステータス信号として受け取り、自ステータス信号を活性化する。接続装置３４は、接続装置３３から出力される自ステータス信号を相手ステータス信号として受け取る。
【０１０６】
このようにして、接続装置３３，３４，従来装置４９は、互いに活性化した相手ステータス信号を検知することにより、相手の装置を認識する。これにより、各装置３３，３４，４９間の接続が完了し、ネットワークが構築されてデータ転送が可能となる。
【０１０７】
次に、図１０（ｃ）に示すデータ転送時において、接続装置３３，３４と従来装置４９はそれぞれネットに接続された装置を認識しているため、相互にデータを転送することができる。
【０１０８】
次に、図１０（ｄ）に示すデータの転送がない状態において、接続装置３４は、ネットからの干渉を避けるために、自ステータス信号を不活性化する。接続装置３３は、接続装置３４からの不活性な自ステータス信号を相手ステータス信号として受け、それに応答して自ステータス信号を不活性化する。このようにして、接続装置３３，３４は、消費電力を少なくする。
【０１０９】
次に、接続装置３４は、ネットからの干渉を無視する状態から抜けると、自ステータス信号を活性化する（図１０（ｅ））。この自ステータス信号を相手ステータス信号として受け取る接続装置３３は、相手ステータス信号が活性化しているため、ネットに接続された接続装置３４を認識する。また、従来装置４９は、接続装置３４から活性化した相手ステータス信号を受け、接続装置３４を認識する。これにより、接続装置３３，３４，従来装置４９間が再び接続された状態となる。このようにして、プラグアンドプレイ機能により、接続装置３３，３４と従来装置４９からなるネットワークが再構築される。
【０１１０】
このように、接続装置３３，３４と従来装置４９を接離する場合においても、本実施形態の接続装置３３〜３５を接離する場合と同様に、ホットプラグでプラグアンドプレイを行う機能を実現する。そして、接続装置３３，３４は、非接続時における電力消費を少なくする。
【０１１１】
以上記述したように、本実施の形態によれば、以下の効果を奏する。
（１）複数のポートを備えたケーブル接続装置３３においても、ステータス制御部４１は、相手ステータス検知部４３ａ，４３ｂの検知結果に基づいて相手ステータス信号ＳＴ２ａ，ＳＴ２ｂが不活性の場合に自ステータス生成部４２ａ，４２ｂを不活性化するようにした。その結果、自ステータス生成部４２ａ，４２ｂの分だけ消費電力が少なくなる。
【０１１２】
（２）ステータス制御部４１は、相手ステータス検知部４３ａ，４３ｂの検知結果に基づいて活性化した相手ステータス信号ＳＴ２ａ，ＳＴ２ｂを検知した場合に自ステータス生成部４２ａ，４２ｂを活性化するようにした。その結果、電源がオンされたホットプラグの状態においてネットワークに接続された相手装置を認識してネットワークを構築するプラグアンドプレイを行うことができる。
【０１１３】
尚、前記実施形態は、以下の態様に変更してもよい。
○上記実施形態において、ステータス制御部４１は、第１，第２ポートを同時に活性化又は不活性化するようにしたが、第１，第２ポートを独立して制御するように構成してもよい。即ち、ステータス制御部４１は、各ポートにおいて活性化した相手ステータス信号ＳＴ２ａ，ＳＴ２ｂを検知した場合に、それぞれ対応する自ステータス生成部４２ａ，４２ｂを活性化する。このように構成すると、一方のポートにのみ相手装置を接続した場合に、他方の自ステータス生成部を活性化しない分、消費電力を低くすることができる。
【０１１４】
○上記実施形態において、３つ以上のポートを備えた接続装置に具体化して実施してもよい。
（第三実施形態）
以下、本発明を具体化した第三実施形態を図１１，１２に従って説明する。
【０１１５】
尚、説明の便宜上、第一，第二実施形態と同様の部材については同じ符号を付してそれらの説明を一部省略する。
図１１は、ケーブル接続制御装置（以下、接続装置という）５１，５２のブロック回路図を示す。これら接続装置５１，５２は、それぞれ第一実施形態のパソコン１１，カメラ１２に備えられる。また、パソコン１１，カメラ１２は、抵抗Ｒ１〜Ｒ５、コンデンサＣ１，Ｃ２をそれぞれ含む。
【０１１６】
接続装置５１，５２は、同じ構成を持つ。このため、１つの接続装置５１について構成を説明し、他の接続装置５２のそれを省略する。
接続装置５１は、ＰＬＬ回路２１、ステータス制御部２２、データ転送回路部５３、自ステータス生成部５４、相手ステータス検知部５５、抵抗Ｒ６，Ｒ７、基準電源Ｅ１を含む。
【０１１７】
データ転送回路部５３は、２組のディファレンシャルな信号線対ＬＡ，ＸＬＡ、ＬＢ，ＸＬＢを持つ。第１信号線対ＬＡ，ＸＬＡは接続相手の第２信号線対ＬＢ，ＸＬＢに接続され、接続相手の第１信号線対ＬＡ，ＸＬＡは接続装置５２の第２信号線対ＬＢ，ＸＬＢに接続される。
【０１１８】
データ転送回路部５３は、ＤＳリンク方式に対応してデータ及びストローブを第１信号線対ＬＡ，ＸＬＡ、第２信号線対ＬＢ，ＸＬＢの２対を用いて相手のデータ転送回路部５３に転送する。
【０１１９】
データ転送回路部５３は、転送するデータ，ストローブに応じて第１，第２信号線対ＬＡ，ＸＬＡ，ＬＢ，ＸＬＢに所定値以上の電位差を与える。詳述すれば、図１２に示すように、データ転送回路部５３は、転送するデータが「１」の場合に信号線ＸＬＡの電位を信号線ＬＡの電位より所定値低くし、データが「０」の場合に信号線ＸＬＡの電位を信号線ＬＡの電位より所定値高くする。
【０１２０】
第１信号線対ＬＡ，ＸＬＡには、自ステータス生成部５４の出力端子が抵抗Ｒ１，Ｒ２を介して接続される。また、自ステータス生成部５４の出力端子は、コンデンサＣ１を介してグランドＧＮＤに接続される。
【０１２１】
第２信号線対ＬＢ，ＸＬＢには、抵抗Ｒ３，Ｒ４の第１端子がそれぞれ接続され、抵抗Ｒ３，Ｒ４の第２端子は共通に接続されると共に、その接続点が抵抗Ｒ５を介してグランドＧＮＤに接続されている。抵抗Ｒ５には、並列にコンデンサＣ２が接続される。
【０１２２】
相手ステータス検知部５５は、２つの入力端子を持つコンパレータよりなる。相手ステータス検知部５５の第１入力端子には、同じ抵抗値を持つ抵抗Ｒ６，Ｒ７を介して第２信号線対ＬＢ，ＸＬＢが接続される。
【０１２３】
抵抗Ｒ１〜Ｒ５は終端抵抗である。抵抗Ｒ１〜Ｒ４は同じ抵抗値を持ち、抵抗Ｒ６，Ｒ７は同じ抵抗値を持つ。これら抵抗Ｒ１〜Ｒ７の抵抗値は、
Ｒ６，Ｒ７の抵抗値≫Ｒ１〜Ｒ４の抵抗値、
Ｒ５の抵抗値≫Ｒ１〜Ｒ４の抵抗値、
Ｒ６，Ｒ７の抵抗値＞Ｒ５の抵抗値
の関係を持つ。具体的な値の一例として、抵抗Ｒ１〜Ｒ４は５５オーム（Ω）、抵抗Ｒ５は５ｋΩ、抵抗Ｒ６，Ｒ７は７ｋΩの抵抗値を持つ。
【０１２４】
このような抵抗値を持つ抵抗Ｒ１〜Ｒ５により、、第１信号線対ＬＡ，ＸＬＡ、第２信号線対ＬＢ，ＸＬＢに対して、図１２に示す電位差と所定のオフセット電圧を与える。即ち、自ステータス生成部５４は、ステータス制御部２２から入力される制御信号Ｓ１に基づいて、活性化又は不活性化する。そして、活性化した自ステータス生成部５４は、第１信号線対ＬＡ，ＸＬＡ、第２信号線対ＬＢ，ＸＬＢに対して所定の電位差とオフセット電圧を印可する。
【０１２５】
従って、接続装置５１に接続相手（図１１の場合は接続装置５２）が接続されている場合、第２信号線対ＬＢ，ＸＬＢにより入力される信号は、所定のオフセット電圧を持つ。接続装置５１の相手ステータス検知部５５は、このオフセット電圧の有無により、活性化された相手ステータス信号の有無を検知する訳である。
【０１２６】
即ち、相手ステータス検知部５５は、抵抗Ｒ６，Ｒ７により、第２信号線対ＬＢ，ＸＬＢの電位の平均値（平均電圧）を入力する。相手ステータス検知部５５の第２入力端子には、基準電源Ｅ１から所定のリファレンス電圧Ｖref が入力される。
【０１２７】
図１２に示すように、相手ステータス検知部５５は、入力した平均電圧とリファレンス電圧Ｖref を比較し、平均電圧がリファレンス電圧Ｖref よりも高い場合に、活性化した相手ステータス信号を検知する。そして、相手ステータス検知部５５は、その検知信号Ｓ２をステータス制御部２２に出力する。ステータス制御部２２は、その検知信号Ｓ２に基づいて、活性化した制御信号Ｓ１を出力し、自ステータス生成部５４を活性化させる。
【０１２８】
一方、相手ステータス検知部５５は、図１２に示すように、入力した平均電圧がリファレンス電圧Ｖref よりも低い場合に、不活性化した相手ステータス信号を検知し、その検知信号Ｓ２をステータス制御部２２に出力する。ステータス制御部２２は、検知信号Ｓ２に基づいて、不活性化した制御信号Ｓ１を出力し、自ステータス生成部５４を不活性化させる。
【０１２９】
以上記述したように、本実施の形態によれば、以下の効果を奏する。
（１）ディファレンシャルな２組の信号線対ＬＡ，ＸＬＡ，ＬＢ，ＸＬＢを持つ接続装置５１の自ステータス生成部５４は、活性化した時に第１信号線対ＬＡ，ＸＬＡに所定のオフセット電圧を印可する。相手ステータス検知部５５は、第２信号線対ＬＢ，ＸＬＢにオフセット電圧が印可されているか否かに基づいて、活性化された相手ステータス信号の有無を検知し、その検知信号Ｓ２をステータス制御部２２に出力する。ステータス制御部２２は、活性化した相手ステータス信号を検知しない場合に、自ステータス生成部５４を不活性化する。その結果、相手装置が接続されていないか、又は相手装置が不活性な時の消費電力を低減することができる。
【０１３０】
（第四実施形態）
以下、本発明を具体化した第四実施形態を図１３に従って説明する。
尚、説明の便宜上、第一，第二実施形態と同様の部材については同じ符号を付してそれらの説明を一部省略する。
【０１３１】
図１３は、ケーブル接続制御装置（以下、接続装置という）６１のブロック回路図を示す。
接続装置６１は、ＰＬＬ回路６２、セレクタ６３、ステータス制御部６４、自ステータス生成部２３、相手ステータス検知部２４、データ転送回路部２５、ネットインタフェース２６、ホストインタフェース２７を含む。ＰＬＬ回路６２には、ホスト装置としてのパソコン１１（図１）に備えられた発振器１１ａにて生成される基準クロック信号ＳＣＫが入力される。ＰＬＬ回路６２は、基準クロック信号ＳＣＫに基づいて、その基準クロック信号ＳＣＫの周波数よりも高い所定周波数を持つクロック信号ＣＬＫを生成する。そして、ＰＬＬ回路６２は、生成したクロック信号ＣＬＫをデータ転送回路部２５に出力する。データ転送回路部２５は、入力されるクロック信号ＣＬＫに基づく周期にて動作する。
【０１３２】
また、ＰＬＬ回路６２には、ステータス制御部６４から制御信号Ｓ５が入力される。ＰＬＬ回路６２は、制御信号Ｓ５に応答して活性又は不活性となる。活性化したＰＬＬ回路６２は、入力される基準クロック信号ＳＣＫからクロック信号ＣＬＫを生成し、そのクロック信号ＣＬＫを出力する。不活性化したＰＬＬ回路６２は、クロック信号ＣＬＫの出力を停止する。
【０１３３】
セレクタ６３には、基準クロック信号ＳＣＫと、ＰＬＬ回路６２にて生成されるクロック信号ＣＬＫと、ステータス制御部６４から選択信号ＳＬが入力される。セレクタ６３は、選択信号ＳＬに基づいて基準クロック信号ＳＣＫとクロック信号ＣＬＫのうちの何れか一方を選択し、その選択信号をクロック信号ＣＫ１としてステータス制御部６４に出力する。
【０１３４】
ステータス制御部６４は、相手ステータス検知部２４から入力される検知信号Ｓ２に基づいて、制御信号Ｓ１，Ｓ５を活性化又は不活性化する。詳述すれば、ステータス制御部６４は、相手ステータス検知部２４から活性化した相手ステータス信号ＳＴ２を検出したことを示す活性化した検知信号Ｓ２に基づいて、活性化した制御信号Ｓ１及び制御信号Ｓ５を出力する。自ステータス生成部２３は活性化したステータス制御信号Ｓ１に応答して自ステータス信号ＳＴ１を活性化させる。ＰＬＬ回路６２は、活性化した制御信号Ｓ５に応答して活性状態となり、基準クロック信号ＳＣＫに基づいて生成したクロック信号ＣＬＫを出力する。
【０１３５】
一方、ステータス制御部６４は、相手ステータス検知部２４から不活性の相手ステータス信号ＳＴ２を検出したことを示す不活性の検知信号Ｓ２に基づいて、不活性のステータス制御信号Ｓ１及びクロック制御信号Ｓ５を出力する。自ステータス生成部２３は、不活性化したステータス制御信号Ｓ１に応答して自ステータス信号ＳＴ１を不活性化したステータス制御信号Ｓ１に応答して自ステータス信号ＳＴ１を不活性化する。ＰＬＬ回路６２は、不活性化したクロック制御信号Ｓ５に応答して不活性状態となり、クロック信号ＣＬＫの出力を停止する。
【０１３６】
更に、ステータス制御部６４は、検知信号Ｓ２に基づいて、選択信号ＳＬをセレクタ６３に出力する。詳述すれば、ステータス制御部６４は、活性化した検知信号Ｓ２に応答して選択信号ＳＬを活性化する。この選択信号ＳＬを受けるセレクタ６３は、ＰＬＬ回路６２から入力されるクロック信号ＣＬＫを選択し、その選択信号をクロック信号ＳＫ１としてステータス制御部６４に出力する。
【０１３７】
一方、ステータス制御部６４は、不活性の検知信号Ｓ２に応答して選択信号ＳＬを不活性化する。この選択信号ＳＬを受けるセレクタ６３は、外部（発振器１１ａ）から入力される基準クロック信号ＳＣＫを選択し、その選択信号をクロック信号ＣＫ１としてステータス制御部６４に出力する。
【０１３８】
従って、ステータス制御部６４には、自ステータス信号ＳＴ１を活性化するときに、ＰＬＬ回路６２にて生成されるクロック信号ＣＬＫが入力される。一方、ステータス制御部６４には、自ステータス信号ＳＴ１を不活性化するときに、基準クロック信号ＳＣＫが入力される。
【０１３９】
この基準クロック信号ＳＣＫの周波数は、クロック信号ＣＬＫの周波数よりも低い。従って、ステータス制御部６４は、基準クロック信号ＳＣＫに基づいて動作する。この時の動作速度は、クロック信号ＣＬＫに基づく動作速度よりも遅い。従って、基準クロック信号ＳＣＫにて動作するステータス制御部６４の消費電力は、クロック信号ＣＬＫに基づくそれよりも低い。即ち、ステータス制御部６４は、自ステータス信号ＳＴ１を不活性化して自ステータス生成部２３の消費電力を低くするとともに、自らの消費電力を低くする。
【０１４０】
更に、自ステータス信号ＳＴ１を不活性化する場合、ＰＬＬ回路６２はクロック信号ＣＬＫを停止する。このため、クロック信号ＣＬＫに基づいて動作するデータ転送回路部２５は動作を停止するため、これによる消費電力が低くなる。
【０１４１】
これらの回路の不活性状態は、上記したように活性化した相手ステータス信号ＳＴ２が検出される、又はＣＰＵ１１ｂから活性化信号が入力されるまで継続する。活性化信号は、ＣＰＵ１１ｂからホストインタフェース２７、データ転送回路部２５に含まれるパターンを介してステータス制御部６４に信号Ｓ４として入力される。ステータス制御部６４は、この信号Ｓ４に応答して自ステータス生成部２３とＰＬＬ回路６２を活性化するとともに、選択信号ＳＬによりＰＬＬ回路６２が出力するクロック信号ＣＬＫをクロック信号ＣＫ１として受け取る。
【０１４２】
以上記述したように、本実施の形態によれば、以下の効果を奏する。
（１）ステータス制御部６４は、相手ステータス検知部２４の検知結果に基づいて相手ステータス信号ＳＴ２が不活性の場合に、自ステータス生成部２３を不活性化するとともに、ＰＬＬ回路６２を停止するようにした。そして、ステータス制御部６４は、選択信号ＳＬをセレクタ６３に出力してクロック信号ＣＬＫよりも周波数の低い基準クロック信号ＳＣＫが入力されるようにした。その結果、ステータス制御部６４は通常動作に比べて低い周波数で動作するため、その分消費電力を少なくすることができる。
【０１４３】
尚、前記実施形態は、以下の態様に変更してもよい。
○上記第四実施形態において、ＰＬＬ回路６２は、ステータス制御部６４から出力される制御信号Ｓ５に応答してクロック信号ＣＬＫの周波数を通常動作から低くするように構成されてもよい。即ち、ステータス制御部６４は、自ステータス生成部２３を不活性化する場合にＰＬＬ回路６２にて生成されるクロック信号ＣＬＫの周波数を低くする。このような構成は、セレクタ６３及び選択信号ＳＬを不要とする。
【０１４４】
○上記第四実施形態において、図１４の接続装置７１のステータス制御部７２は、発振器７３から出力される基準クロック信号ＳＣＫを分周器７４を介して入力する。そして、ステータス制御部７２は、自ステータス生成部２３を不活性化するときに、発振器７３の発信を停止するようにしてもよい。このように構成すると、上記実施形態においてＰＬＬ回路６２の動作を停止するときと同様の効果を得ることができる。
【０１４５】
また、ステータス制御部７２は、入力されるクロック信号の周波数を低くするように発振器７３又は分周器７４の分周比を制御する構成としてもよい。このように構成すると、上記実施形態と同様にステータス制御部７２は、通常動作よりも低い周波数で動作するため、その分消費電力が少なくなる。
【０１４６】
○上記各実施形態において、ステータス制御部２２，４１，５３，６４，７２は、一定時間以上の間、相手ステータス信号が不活性化されている場合に自ステータス生成部２３，４２ａ，４２ｂ，５４を活性化した後、相手ステータス信号ＳＴ２，ＳＴ２ａ，ＳＴ２ｂが活性化しないときに自ステータス生成部２３，４２ａ，４２ｂ，５４を不活性化するようにしてもよい。
【０１４７】
○上記各実施形態において、ステータス制御部２２，４１，５３，６４，７２が自ステータス生成部２３，４２ａ，４２ｂ，５４を活性化する条件を増やしても良い。例えば、駆動電源が供給されたときに自ステータス生成部２３，４２ａ，４２ｂ，５４を活性化させるようにする。
【０１４８】
即ち、第一実施形態において、ステータス制御部２２は、接続装置１４の駆動電源、即ちパソコン１１の電源がオンされると、制御信号Ｓ１を活性化するようにしてもよい。自ステータス生成部２３は、活性化した制御信号Ｓ１に応答して活性化し、活性化した自ステータス信号ＳＴ１をネットインタフェース２６を介して出力する。
【０１４９】
同様に、第二実施形態において、ステータス制御部４１は、接続装置３３〜３５の駆動電源、即ちパソコン１１の電源がオンされると、制御信号Ｓ１ａ，Ｓ１ｂを活性化するようにしてもよい。自ステータス生成部４２ａ，４２ｂは、活性化した制御信号Ｓ１ａ，Ｓ１ｂに応答して活性化し、活性化した自ステータス信号ＳＴ１ａ，ＳＴ１ｂをネットインタフェース４５ａ，４５ｂを介して出力する。
【０１５０】
同様に、第四実施形態（別の形態）において、ステータス制御部６４（７２）は、接続装置６１（７１）の駆動電源が供給されると、制御信号Ｓ１を活性化するようにしてもよい。自ステータス生成部２３は、活性化した制御信号Ｓ１に応答して活性化し、活性化した自ステータス信号ＳＴ１をネットインタフェース２６を介して出力する。
【０１５１】
また、第三実施形態において、ステータス制御部２２は、接続装置５１，５２の駆動電源、即ちパソコン１１，カメラ１２の電源がオンされると、制御信号Ｓ１を活性化するようにしてもよい。自ステータス生成部５４は、活性化した制御信号Ｓ１に応答して活性化し、第１信号線対ＬＡ，ＸＬＡに所定のオフセット電圧を与えることにより活性化した自ステータス信号を相手装置に出力する。
【０１５２】
【発明の効果】
以上詳述したように、本発明によれば、消費電力の低減を図ることが可能な接続制御装置及び接続制御方法を提供することができる。
【図面の簡単な説明】
【図１】  第一実施形態のシステム構成図。
【図２】  制御内容の説明図。
【図３】  第一実施形態の接続装置のブロック回路図。
【図４】  （ａ）〜（ｄ）は、接続装置の動作説明図。
【図５】  （ａ）〜（ｄ）は、接続装置の動作説明図。
【図６】  第二実施形態のシステム構成図。
【図７】  制御内容の説明図。
【図８】  第二実施形態の接続装置のブロック回路図。
【図９】  （ａ）〜（ｅ）は、接続装置の動作説明図。
【図１０】  （ａ）〜（ｅ）は、接続装置の動作説明図。
【図１１】  第三実施形態の接続装置のブロック回路図。
【図１２】  データとステータス信号の関係を示す波形図。
【図１３】  第四実施形態の接続装置のブロック回路図。
【図１４】  別の接続装置のブロック回路図。
【符号の説明】
２２，４１，５３，６４，７２  ステータス制御部
２３，４２ａ，４２ｂ，５４  （自）ステータス生成部
２４，４３ａ，４３ｂ，５５  （相手）ステータス検知部
Ｓ１，Ｓ１ａ，Ｓ１ｂ  制御信号
Ｓ２，Ｓ２ａ，Ｓ２ｂ  検知信号
ＳＴ１，ＳＴ１ａ，ＳＴ１ｂ  自ステータス信号
ＳＴ２，ＳＴ２ａ，ＳＴ２ｂ  相手ステータス信号
【図１】
0004025429.tif 000002
【図２】
0004025429.tif 000003
【図３】
0004025429.tif 000004
【図４】
0004025429.tif 000005
【図５】
0004025429.tif 000006
【図６】
0004025429.tif 000007
【図７】
0004025429.tif 000008
【図８】
0004025429.tif 000009
【図９】
0004025429.tif 000010
【図１０】
0004025429.tif 000011
【図１１】
0004025429.tif 000012
【図１２】
0004025429.tif 000013
【図１３】
0004025429.tif 000014
【図１４】
0004025429.tif 000015